(57)【要約】【課題】補充する商品の落下姿勢を安定させるとともに、部品点数を減らすことのできる自動販売機の商品収納装置を提供する。【解決手段】シュート板３２の下端側を各側板３１に連結してシュート板３２の回動を規制するとともに、姿勢制御板３６を回動自在に連結する第２の支軸３５を備えたので、シュート板３２の商品通路３０ａ側への回動を規制することができ、姿勢制御板３６によって矯正された商品Ａの落下姿勢がシュート板３２の回動によって乱されることはない。また、従来のように回動規制用のシャフトを別部材として必要とすることなく、シュート板３２と姿勢制御板３６を連結する第２の支軸３５によってシュート板３２の回動を規制することができるので、部品点数の低減を図ることができる。【選択図】図５
2007004674.tif 000002
【特許請求の範囲】
【請求項１】
互いに幅方向に間隔をおいて設けられた一対の側板と、各側板間の前後方向に対向するとともに、それぞれ上下方向に並べて配置され、商品通路を形成する円弧状の複数のシュート板とを備えた自動販売機の商品収納装置において、
前記各シュート板の下端側に回動自在に支持され、商品通路側に向かって突出する姿勢制御板と、
各シュート板の下端側を各側板に連結して各シュート板の回動を規制するとともに、姿勢制御板を回動自在に連結する支軸とを備えた
ことを特徴とする自動販売機の商品収納装置。
【請求項２】
前記支軸における一方の側板とシュート板との間に、支軸の軸方向の移動を規制可能な移動規制部を設けた
ことを特徴とする請求項１記載の自動販売機の商品収納装置。
【請求項３】
前記移動規制部として支軸の外周面に周方向に亘って支軸と一体に形成された延出部を設けた
ことを特徴とする請求項２記載の自動販売機の商品収納装置。
【請求項４】
前記各シュート板の上端側を各側板に支持する支軸を備え、
支軸における他方の側板とシュート板との間に、シュート板の幅方向の移動を規制可能なシュート板移動規制部を設けた
ことを特徴とする請求項２記載の自動販売機の商品収納装置。
【請求項５】
前記シュート板移動規制部として支軸の外周面に周方向に亘って支軸と一体に形成された延出部を設けた
ことを特徴とする請求項４記載の自動販売機の商品収納装置。
【請求項６】
前記各シュート板の上端側を各側板に支持する支軸と、
支軸における他方の側板とシュート板との間に設けられ、シュート板の幅方向の移動を規制可能なシュート板移動規制部材とを備えた
ことを特徴とする請求項２記載の自動販売機の商品収納装置。
【請求項７】
前記シュート板移動規制部材として支軸を挿通可能な円筒状部材を用いた
ことを特徴とする請求項６記載の自動販売機の商品収納装置。
【発明の詳細な説明】
【技術分野】
【０００１】
本発明は、缶、ビンまたはペットボトル入りの飲料等の商品を販売する自動販売機の商品収納装置に関するものである。
【背景技術】
【０００２】
従来、この種の商品収納装置としては、互いに幅方向に間隔をおいて設けられた一対の側板と、各側板間の前後方向に対向するとともに、それぞれ上下方向に並べて配置され、商品通路を形成する円弧状の複数のシュート板とを備えたものが知られている（例えば、特許文献１参照）。また、商品通路を落下する商品の落下姿勢を制御するために、各シュート板の下端側に回動自在に支持され、商品通路側に向かって突出する姿勢制御板とを備えたものが知られている。
【特許文献１】特開２０００−１６３６４９号公報
【発明の開示】
【発明が解決しようとする課題】
【０００３】
しかしながら、従来の商品収納装置において、シュート板は各側板間に上端を中心にして回動自在に支持されており、シュート板の下端側を回動規制用のシャフトに当接させることによりシュート板の商品通路の外側への回動を規制するようにしているため、商品通路側への回動を規制することはできず、商品を補充する際に姿勢制御板によって矯正された商品の落下姿勢がシュート板の回動によって乱されるという問題点があった。また、回動規制用のシャフトを別部材として各側板に取付けなければならず、部品点数が増加するという問題点があった。
【０００４】
本発明は前記問題点に鑑みてなされたものであり、その目的とするところは、補充する商品の落下姿勢を安定させるとともに、部品点数を減らすことのできる自動販売機の商品収納装置を提供することにある。
【課題を解決するための手段】
【０００５】
本発明は前記目的を達成するために、互いに幅方向に間隔をおいて設けられた一対の側板と、各側板間の前後方向に対向するとともに、それぞれ上下方向に並べて配置され、商品通路を形成する円弧状の複数のシュート板とを備えた自動販売機の商品収納装置において、前記各シュート板の下端側に回動自在に支持され、商品通路側に向かって突出する姿勢制御板と、各シュート板の下端側を各側板に連結して各シュート板の回動を規制するとともに、姿勢制御板を回動自在に連結する支軸とを備えている。
【０００６】
これにより、支軸によってシュート板の下端側と各側板が連結されることから、シュート板の商品通路側への回動が規制される。
【発明の効果】
【０００７】
本発明によれば、シュート板の商品通路側への回動を規制することができるので、姿勢制御板によって矯正された商品の落下姿勢がシュート板の回動によって乱されることはない。また、従来のように回動規制用のシャフトを別部材として必要とすることなく、シュート板と姿勢制御板を連結する支軸によってシュート板の回動を規制することができるので、部品点数の低減を図ることができる。
【発明を実施するための最良の形態】
【０００８】
図１乃至図５は本発明の一実施形態を示すもので、図１は外扉を開放した状態を示す自動販売機の全体斜視図、図２は自動販売機の側面断面図、図３は商品収納装置の要部側面断面図、図４は商品収納装置の要部正面図、図５は商品の収納される状態を示す商品収納装置の要部側面断面図である。
【０００９】
この商品収納装置を備えた自動販売機は、前面に開口部を有する自動販売機本体１０と、自動販売機本体１０の前面を開閉する外扉２０とからなり、外扉２０の幅方向一端側が自動販売機本体１０の前面側に回動自在に支持されている。
【００１０】
自動販売機本体１０の内部には、上面側、底面側、背面側及び左右両側面側を断熱壁１１によって仕切ることにより商品収納部１２が形成され、商品収納部１２には複数の商品収納装置３０が幅方向及び前後方向に配置されている。また、商品収納部１２の下部には、商品収納装置３０から落下搬出される商品Ａを外扉２０に設けられた商品取出口２１に案内するための商品案内板１３が前下りに傾斜するように設けられ、商品案内板１３の下方には商品収納部１２を冷却するための冷却器１４及び冷却器用送風機１５が設けられている。更に、商品収納部１２の前面は、断熱性を有する部材からなり、幅方向一端側が自動販売機本体１０に回動自在に支持された内扉１６によって開閉されるようになっている。内扉１６の下部には商品収納部１２と商品取出口２１を連通するための複数の商品搬出口１６ａが設けられ、各商品搬出口１６ａの上端には商品搬出口１６ａを開閉するための搬出扉１６ｂが回動自在に支持されている。また、商品収納部１２の下方には機械室１７が設けられ、機械室１７内には冷媒流通用の配管によって商品収納部１２の冷却器１４に接続された図示しない圧縮機及び凝縮器等の冷凍機器や電装ユニットが配置されている。
【００１１】
本実施形態の各商品収納装置３０は、自動販売機本体１０の幅方向に対向するように設けられた一対の側板３１と、各側板３１間に前後方向に対向するように設けられた上下方向複数のシュート板３２と、各側板３１間の下部に設けられた商品搬出機構３３とを備え、缶、ビンまたはペットボトル等の円筒状の容器に入った商品Ａを横倒しの状態で積み重ねて収納するための商品通路３０ａが上下方向に延びるように形成されている。
【００１２】
各側板３１は、上下方向に延びる板状部材からなり、商品通路３０ａの左右両側を形成するようになっている。また、各側板３１には、上端に前後方向に延びる図示しないレール形状の係合部が形成され、係合部を商品収納部１２の天井面に係合させることにより商品収納装置３０が商品収納部１２の上部に吊下げられるようになっている。
【００１３】
各シュート板３２は、板状部材を円弧状に形成した部材からなり、各側板３１間の前面側及び背面側にそれぞれ凹面を商品通路３０ａに向けて上下方向に配置されている。前面側に配置されるシュート板３２と背面側に配置されるシュート板３２は、互いに上下方向にずらして取付けられており、商品通路３０ａが蛇行して上下方向に延びるように形成されている。各シュート板３２の上端には、曲げ加工を施すことにより幅方向に延びる円筒状に形成された第１の連結部３２ａが設けられ、各側板３１間に架設された第１の支軸３４に連結されている。第１の支軸３４は、各側板３１に互いに対向するように設けられた第１の取付孔３１ａに両端部を挿通することにより架設され、両端部にカシメ加工を施したり止め輪等の部材を取付けることによって各側板３１に固定されている。各シュート板３２の下端には、シュート板３２の下端の一部に曲げ加工を施すことにより幅方向に延びる円筒状に形成された第２の連結部３２ｂが設けられ、各側板３１間に架設された第２の支軸３５に連結されている。また、各シュート板３２の下端には、商品通路３０ａの幅方向に延びる部材からなる姿勢制御板３６が設けられている。姿勢制御板３６の基端部には、一部に曲げ加工を施すことにより幅方向に延びる円筒状に形成された連結部３６ａが設けられ、シュート板３２の第２の連結部３２ｂと共に第２の支軸３５に回動自在に連結されている。また、姿勢制御板３６は、第２の支軸３５にコイルバネ３７を巻き回すことにより、シュート板３２の下端側から商品通路３０ａに向かって略水平に先端が突出するように付勢され、コイルバネ３７の付勢力に抗して上下方向に回動可能となっている。第２の支軸３５は、各側板３１に互いに対向するように設けられた第２の取付孔３１ｂに両端部を挿通することにより架設されている。また、第２の支軸３５における一方の側板３１とシュート板３２との間には、第２の支軸３５の径方向寸法よりも大きく形成された移動規制部としての延出部３５ａが周方向に亘って一体に設けられ、第２の支軸３５の軸方向への移動を規制するようになっている。延出部３５ａは、第２の支軸３５の所定位置にヘッダ加工を施すことにより形成されている。また、延出部３５ａのその他の例として、第２の支軸３５の所定位置に止め輪等の部材を取付けるようにして延出部３５ａを設けるようにてもよい。第２の支軸３５は、シュート板３２と姿勢制御板３６を連結した状態で一方の側板３１の第２の取付孔３１ｂに一端側を挿通した後、他方の側板３１の第２の取付孔３１ｂに他端側を挿通することにより各側板３１に取付けられる。
【００１４】
商品搬出機構３３は商品通路３０ａの下端を開閉可能なゲートレバー３３ａを有し、ゲートレバー３３ａによって商品通路３０ａの下端を開放することにより商品Ａを一個ずつ下方に落下搬出するようになっている。
【００１５】
また、商品収納装置３０の上部前面側には商品投入口３０ｂが設けられ、商品投入口３０ｂと商品通路３０ａの上端との間には後方に向かって下り傾斜をなす傾斜板３０ｃが設けられている。
【００１６】
以上のように構成された自動販売機の商品収納装置において、商品Ａを収納する場合には、商品通路３０ａの上方に設けられた商品投入口３０ｂから商品Ａを投入する。これにより、投入された商品Ａは商品通路３０ａの前後両側に配置された各シュート板３２に沿って蛇行しながら商品通路３０ａを落下する。その際、商品通路３０ａを落下する商品Ａは、シュート板３２に沿って落下するとともに、シュート板３２の下端に連結された姿勢制御板３６と接触し、姿勢制御板３６をコイルバネ３７の付勢力に抗して下方に押し回しながら落下する。このとき、落下する商品Ａは、姿勢制御板３６に接触することにより落下速度が減速されるとともに、幅方向水平に延びる姿勢制御板３６の上面に当接することにより、長さ方向の軸が水平になるように矯正されながら落下する。また、このような姿勢制御は、上下複数の姿勢制御板３６によって行なわれることから、落下距離が大きくなる場合にも商品Ａの落下姿勢が乱れることはない。更に、各シュート板３２は、下端側が各側板３１に連結されていることから、落下する商品Ａの落下軌道が変化することはない。
【００１７】
このように、本実施形態の自動販売機の商品収納装置によれば、シュート板３２の下端側を各側板３１に連結してシュート板３２の回動を規制するとともに、姿勢制御板３６を回動自在に連結する第２の支軸３５を備えたので、シュート板３２の商品通路３０ａ側への回動を規制することができ、姿勢制御板３６によって矯正された商品Ａの落下姿勢がシュート板３２の回動によって乱されることはない。また、従来のように回動規制用のシャフトを別部材として必要とすることなく、シュート板３２と姿勢制御板３６を連結する第２の支軸３５によってシュート板３２の回動を規制することができるので、部品点数の低減を図ることができる。更に、従来のようにシュート板３２の下端側が回動規制用のシャフトに衝突することはないので、商品Ａを収納する際の衝突音を減少させることが可能となる。また、従来のように、シュート板３２に姿勢制御板３６を回動自在に連結するためのシャフトにカシメ加工を施す必要はないので、シュート板３２に姿勢制御板３６を組付ける作業工数の低減を図ることができる。
【００１８】
また、第２の支軸３５における一方の側板３１と各シュート板３２との間に、第２の支軸３５の軸方向の移動を規制するための延出部３５ａを設けたので、第２の支軸３５の両端部をカシメ加工や止め輪の取付等の加工を施すことなく固定することができ、組付作業の工数の低減を図ることができる。
【００１９】
また、第２支軸３５の外周面に周方向に亘って第２の支軸３５と一体に形成された延出部３５ａを設けたので、第２の支軸３５に延出部３５ａを取付ける必要はなく、組付作業の工数の低減を図ることが可能となる。
【００２０】
尚、前記実施形態では、商品通路３０ａの幅寸法をシュート板３２の幅寸法と略同一に形成した商品収納装置３０を示したが、図６に示すように、商品通路３０ａの幅寸法がシュート板３２の幅寸法よりも大きい場合には、シュート板３２及び姿勢制御板３６を変更することなく、商品通路３０ａの幅寸法に応じた長さ寸法の第１の支軸３４及び第２の支軸３５を用いて各シュート板３２及び各姿勢制御板３６を連結する。これにより、商品通路３０ａの幅寸法の異なる商品収納装置３０の各側板３１間にシュート板３２及び姿勢制御板３６を取付けることができ、シュート板３２及び姿勢制御板３６の共通化を図ることが可能となる。このとき、第１の支軸３４における他方の側板３１とシュート板３２との間に、シュート板３２の幅方向への移動を規制するためのシュート板移動規制部としての延出部３４ａを設けたり、円筒状部材３４ｂを挿通するようにすることにより、シュート板３２の幅方向への移動を規制することが可能となる。
【図面の簡単な説明】
【００２１】
【図１】本発明の一実施形態を示す自動販売機の外扉を開放した状態の全体斜視図
【図２】自動販売機の側面断面図
【図３】商品収納装置の要部側面断面図
【図４】商品収納装置の要部正面図
【図５】商品の収納される状態を示す商品収納装置の要部側面断面図
【図６】商品通路の幅方向寸法を変更した場合を示す商品収納装置の要部正面図
【符号の説明】
【００２２】
３０…商品収納装置、３０ａ…商品通路、３１…側板、３２…シュート板、３２ｂ…第２の連結部、３４…第１の支軸、３４ａ…延出部、３４ｂ…円筒状部材、３５…第２の支軸、３５ａ…延出部、３６…姿勢制御板。
【図１】
2007004674.tif 000003
【図２】
2007004674.tif 000004
【図３】
2007004674.tif 000005
【図４】
2007004674.tif 000006
【図５】
2007004674.tif 000007
【図６】
2007004674.tif 000008